(57)【要約】      （修正有）【課題】コネクタとコネクタ収納体との連結、連結の解除を容易にするコネクタ連結装置を提供する。【解決手段】プラグストッパー３の大枝部３６に押圧を加え、プラグストッパー３により、突起部を中心に、大枝部３６の、凸状の形状の弓形を回動させて、小枝部３５に当接させ、プラグストッパー３の基部３７のストッパー部３８同士を離して開いた状態にし、コネクタ１１のコネクタインサート２１１をコネクタ収納体１２のコネクタ受けキャップ４の孔部に挿入し、プラグストッパー３のストッパー部３８とストッパー受け部４３の首部とを対向させ、押圧を解除することで、プラグストッパー３の、大枝部３６が小枝部３５の先端側から離れ、基部３７同士が回動することでストッパー部３８同士が接近し、ストッパー部３８がストッパー受け部４３に係止する。【選択図】図１
0003179650.tif 000002
【実用新案登録請求の範囲】
【請求項１】
コネクタとコネクタ収納体とからなり、
該コネクタでは、
一方の端部側にはコネクタインサートが組み込まれ、他方の端部側には、ケーブルが組み込まれるケーブル組込口が形成され、前記一方の端部側から前記他方の端部側へ沿う方向を横断する方向である側方方向には、前記一方の端部側から前記他方の端部側へ沿う方向に凹部が形成され、前記一方の端部側から前記他方の端部側へ沿う中心軸に対して対称に、前記凹部に孔部が形成されたプラグ本体部と、
該プラグ本体部のケーブル組込口側に、二股である小枝部と大枝部とを向けて、前記プラグ本体部の凹部内に入り、前記凹部の孔部に突起部が組み込まれ、前記突起部から一方の端部に向かって円弧部より二股である小枝部と大枝部とに分かれ、前記プラグ本体部の凹部の奧壁に対して反って、凹状の形状の弓形の形状をなした前記小枝部が、前記プラグ本体部の凹部の奧壁に当接し、前記円弧部による隙間を経て、前記小枝部の、前記凹状の形状の弓形の形状と当接可能な、凸状の形状の弓形の形状をなした、前記大枝部が形成され、
前記円弧部から前記突起部を経て他方の端部に向かって基部が形成され、前記基部には、前記プラグ本体部のコネクタインサート側に沿って伸びてストッパー部が形成され、該ストッパー部側は基部を含めて断面略Ｌ字状の形状をなす、プラグストッパーと、
を備え、
前記コネクタ収納体では、
前記コネクタと対向する平板部の中央側には、前記コネクタインサートが挿入される孔部が形成され、該孔部の長手方向に対して横断する方向側から前記孔部を挟み込んで、対向してストッパー受け部が形成され、
該ストッパー受け部は、前記平板部に対して垂直に伸びる首部と、該首部に対して垂直に曲がり、前記孔部側とは反対方向に伸びて形成されてた頭部とからなり、前記ストッパー受け部側は、前記首部、前記頭部及び前記平板部を含めて、断面略コ字状の形状をなし、
前記ストッパー受け部とは反対側では、前記平板部の外周に沿って、前記平板部の外周より小さい外周をなす枠部が形成された、コネクタ受けキャップと、
該コネクタ受けキャップの枠部側が一方の端部側に組み込まれ、
前記コネクタ受けキャップの孔部に挿入される前記コネクタインサートと導通をとることが可能であり、前記コネクタ受けキャップ側と反対側にコネクタインサートが取り付けられた回路基板と、
該回路基板の一方の面に取り付けられた、充電可能なバッテリーと、
前記コネクタ受けキャップが組み込まれる側と反対側の前記コネクタインサートが取り付けられた他方の端部側に組み込まれるキャップと、からなる筺体と、を備え、
前記コネクタの、
前記プラグストッパーの大枝部に押圧を加え、前記プラグストッパーが樹脂製であることによる弾力性により、前記プラグストッパーの突起部を中心に、前記大枝部の、前記小枝部側が前記凸状の形状の弓形を回動させて、前記小枝部の、前記大枝部側が前記凹状の形状の弓形に当接させ、前記プラグストッパーの基部に形成された前記ストッパー部同士を離して開いた状態にし、
前記コネクタのコネクタインサートを前記コネクタ収納体のコネクタ受けキャップの孔部に挿入し、前記プラグストッパーのストッパー部と前記ストッパー受け部の首部とを対向させ、
前記押圧を解除することで、前記プラグストッパーが樹脂製であることによる弾力性により、前記プラグストッパーの突起部を中心に、前記プラグストッパーの、前記大枝部が前記小枝部の先端側から離れ、前記基部同士が回動することで前記ストッパー部同士が接近し、ストッパー部がストッパー受け部に係止し、
係止した状態から、前記プラグストッパーの大枝部に押圧を加え、前記プラグストッパーが樹脂製であることによる弾力性により、前記プラグストッパーの突起部を中心に、前記大枝部の、前記小枝部側が前記凸状の形状の弓形を回動させて、前記小枝部の、前記大枝部側が前記凹状の形状の弓形に当接させ、前記プラグストッパーの基部に形成された前記ストッパー部同士を離して開いた状態にして、前記ストッパー受け部の頭部から離し、
前記コネクタのコネクタインサートを前記コネクタ収納体のコネクタ受けキャップの孔部から離れる方向に移動しつつ、前記押圧を解除し、前記コネクタのコネクタインサートを前記コネクタ収納体のコネクタ受けキャップの孔部から抜き取ることを特徴とするコネクタ連結装置。
【請求項２】
前記コネクタ収納体のコネクタ受けキャップでは、少なくとも、前記コネクタのコネクタインサートを挿入する前記孔部が二箇所形成されていることを特徴とする請求項１に記載のコネクタ連結装置。
【考案の詳細な説明】
【技術分野】
【０００１】
本考案は、コネクタのコネクタインサートをコネクタ収納体の孔部に挿入することでコネクタインサートをコネクタ収納体に収めた状態でコネクタとコネクタ収納体とを連結するコネクタ連結装置に関する。
【背景技術】
【０００２】
携帯電話機器等を含めた移動通信機器では、情報端末機器と接続してデータ通信、或いは充電を行う際にはコネクタを備えた通信ケーブルが必要となる。特に、移動通信機器は、基本的に充電を行わなければならず、充電器と移動通信機器とを接続する、コネクタを備えたケーブルが必要になる。つまり、移動通信機器を人が持ち歩く際には、移動通信機器とともに少なくとも複数本のコネクタを備えたケーブルと充電器とが必要であった。そのため、コネクタを備えたケーブルをバック等に入れて移動通信機器とともに持ち歩く際に、コネクタを備えたケーブルをそのままの状態でバック等に入れてしまうと、使用したい時に容易に見つけることができなくなる場合がある。そのために、図１０に示すように、コネクタを備えたケーブルをコンパクトにまとめることもできる。
【０００３】
図１０では、ケーブル体３００のコネクタ３２０を収納体２００に固定保持するために、収納体２００の挿入口２１０にコネクタ３２０を差し込んで収納体２００に収納し、固定手段２３０で固定している。具体的には、コネクタ３２０を収納体２００側の挿入口２１０Ａから収納室２１０へ差し込んで挿入し、圧縮ばね２３０Ａの弾性力に抗して収納室２１０に略収まる程度までコネクタ３２０の保持部３２０Ａを奧部へ押し込んでいく。押し込んでいくことで、先端面がテーパを有するアーム部２３０Ｂが押し開かれていくので、アーム部２３０Ｂの先端面が保持部３２０Ａの側面に摺動しながら収納室２１０の奧部までコネクタ３２０を挿入させることができる。そして、アーム部２３０Ｂの先端面がコネクタ３２０の保持部３２０Ａの背面に摺接する位置まで押し込んだところで、その押し込みを停止すると、アーム部２３０Ｂが互いに閉じる方向に回動して保持部３２０Ａがロック状態となる。この状態からケーブル体３００を取り出して使用する場合には、両方の解除部２３０Ｃの操作部を同時に押し込んだまま挿入口２１０から引き抜くことになる（特許文献１）。
【先行技術文献】
【特許文献】
【０００４】
【特許文献１】特開２００４−７９９７１（段落００４０から段落００４３、図４）
【考案の概要】
【考案が解決しようとする課題】
【０００５】
しかしながら、図１０に示す構成では、コネクタ３２０の保持部３２０Ａを収納する収納室２１０が必要になるとともに、収納室２１０に収納した保持部３２０Ａを固定する固定手段２３０が必要となっている。そのために、図１０では、収納室２１０に収納したコネクタ３２０の保持部３２０Ａを収納したり、引き抜けたりすることを可能にするために、固定手段２３０に工夫が凝らされている。固定手段２３０は、図１０に示すように、基本的に略鋏状に形成され、力点に相当する基端部側には圧縮ばね２３０ｃが備えられ、作用点に相当する先端部側のアーム部２３０Ｂに閉鎖する方向の弾性力が常時付与されている。アーム部２３０Ｂの先端面にはテーパ面が形成され、コネクタ３２０の保持部３２０Ａの移動を容易にしている。以上のような固定手段２３０を収納体２００に組み込むために、収納体２００内では、収納室２１０、固定室２１０Ｂという区分けが必要となる。また、固定手段２３０は、略鋏状に形成され、基端部側に圧縮ばね２３０ｃが取り付けられて収納体２００の固定室２１０Ｂに組み込まれ、先端部側が固定室２１０Ｂと収納室２１０との間を移動できるようにする、という構成である。そのため、収納体２００内が複雑な構成になるとともに、固定手段２３０を構成する部品点数も多く組立工程での煩雑さは免れない。
【０００６】
また、図１０に示す収納体２００は、略箱型形状をなしコネクタ３２０を収納するための収納室２１０、固定室２１０Ｂが設けられているのみである。そのため、収納体２００では、コネクタ３２０を収納することで、コネクタ３２０を備えたケーブル３３０をまとめることは可能になる。この場合に、移動通信機器を人が持ち歩く際には、移動通信機器の他に、コネクタ３２０を備えたケーブル３３０をまとめた収納体２００と、充電器とを別々に持ち歩く必要がある。つまり、図１０に示す収納体２００を用いて、複数のコネクタ３２０を備えたケーブル３３０を一つにまとめても、複数のコネクタ３２０を備えたケーブル３３０のみをまとめるだけになり、持ち歩きの際には、移動通信機器の他に、複数のコネクタ３２０を備えたケーブル３３０と充電器との複数の機器を持たなければならず、複数のコネクタ３２０を備えたケーブル３３０と充電器との内、いずれかを忘れる可能性がある。特に、コネクタ３２０を備えたケーブル３３０は情報端末機器とのデータ通信を行うためには必須であるため、持ち歩きの際に忘れる可能性は低いが、充電器については、持ち歩きの際に（外出の際に）移動通信機器が使用できる状態になっていると忘れがちになり易い。
【０００７】
本考案は、上記の事情に鑑みなされたものであり、簡易な構成で容易にコネクタとコネクタ収納体との保持である連結、連結の解除を実現し、コネクタ収納体に充電器としての機能を持たせたコネクタ連結装置を提供することを目的とする。
【課題を解決するための手段】
【０００８】
上記の目的を達成するために、請求項１に記載の考案は、コネクタとコネクタ収納体とからなり、該コネクタでは、一方の端部側にはコネクタインサートが組み込まれ、他方の端部側には、ケーブルが組み込まれるケーブル組込口が形成され、前記一方の端部側から前記他方の端部側へ沿う方向を横断する方向である側方方向には、前記一方の端部側から前記他方の端部側へ沿う方向に凹部が形成され、前記一方の端部側から前記他方の端部側へ沿う中心軸に対して対称に、前記凹部に孔部が形成されたプラグ本体部と、該プラグ本体部のケーブル組込口側に、二股である小枝部と大枝部とを向けて、前記プラグ本体部の凹部内に入り、前記凹部の孔部に突起部が組み込まれ、前記突起部から一方の端部に向かって円弧部より二股である小枝部と大枝部とに分かれ、前記プラグ本体部の凹部の奧壁に対して反って、凹状の形状の弓形の形状をなした前記小枝部が、前記プラグ本体部の凹部の奧壁に当接し、前記円弧部による隙間を経て、前記小枝部の、前記凹状の形状の弓形の形状と当接可能な、凸状の形状の弓形の形状をなした、前記大枝部が形成され、前記円弧部から前記突起部を経て他方の端部に向かって基部が形成され、前記基部には、前記プラグ本体部のコネクタインサート側に沿って伸びてストッパー部が形成され、該ストッパー部側は基部を含めて断面略Ｌ字状の形状をなす、プラグストッパーと、を備え、前記コネクタ収納体では、前記コネクタと対向する平板部の中央側には、前記コネクタインサートが挿入される孔部が形成され、該孔部の長手方向に対して横断する方向側から前記孔部を挟み込んで、対向してストッパー受け部が形成され、該ストッパー受け部は、前記平板部に対して垂直に伸びる首部と、該首部に対して垂直に曲がり、前記孔部側とは反対方向に伸びて形成されてた頭部とからなり、前記ストッパー受け部側は、前記首部、前記頭部及び前記平板部を含めて、断面略コ字状の形状をなし、前記ストッパー受け部とは反対側では、前記平板部の外周に沿って、前記平板部の外周より小さい外周をなす枠部が形成された、コネクタ受けキャップと、該コネクタ受けキャップの枠部側が一方の端部側に組み込まれ、前記コネクタ受けキャップの孔部に挿入される前記コネクタインサートと導通をとることが可能であり、前記コネクタ受けキャップ側と反対側にコネクタインサートが取り付けられた回路基板と、該回路基板の一方の面に取り付けられた、充電可能なバッテリーと、前記コネクタ受けキャップが組み込まれる側と反対側の前記コネクタインサートが取り付けられた他方の端部側に組み込まれるキャップと、からなる筺体と、を備え、前記コネクタの、前記プラグストッパーの大枝部に押圧を加え、前記プラグストッパーが樹脂製であることによる弾力性により、前記プラグストッパーの突起部を中心に、前記大枝部の、前記小枝部側が前記凸状の形状の弓形を回動させて、前記小枝部の、前記大枝部側が前記凹状の形状の弓形に当接させ、前記プラグストッパーの基部に形成された前記ストッパー部同士を離して開いた状態にし、前記コネクタのコネクタインサートを前記コネクタ収納体のコネクタ受けキャップの孔部に挿入し、前記プラグストッパーのストッパー部と前記ストッパー受け部の首部とを対向させ、前記押圧を解除することで、前記プラグストッパーが樹脂製であることによる弾力性により、前記プラグストッパーの突起部を中心に、前記プラグストッパーの、前記大枝部が前記小枝部の先端側から離れ、前記基部同士が回動することで前記ストッパー部同士が接近し、ストッパー部がストッパー受け部に係止し、係止した状態から、前記プラグストッパーの大枝部に押圧を加え、前記プラグストッパーが樹脂製であることによる弾力性により、前記プラグストッパーの突起部を中心に、前記大枝部の、前記小枝部側が前記凸状の形状の弓形を回動させて、前記小枝部の、前記大枝部側が前記凹状の形状の弓形に当接させ、前記プラグストッパーの基部に形成された前記ストッパー部同士を離して開いた状態にして、前記ストッパー受け部の頭部から離し、前記コネクタのコネクタインサートを前記コネクタ収納体のコネクタ受けキャップの孔部から離れる方向に移動しつつ、前記押圧を解除し、前記コネクタのコネクタインサートを前記コネクタ収納体のコネクタ受けキャップの孔部から抜き取ることを特徴とする。
【０００９】
従って、請求項１に記載の考案によれば、コネクタの、プラグストッパーの大枝部に押圧を加え、プラグストッパーが樹脂製であることによる弾力性により、プラグストッパーの突起部を中心に、大枝部の、前記小枝部側が前記凸状の形状の弓形を回動させることで、大枝部は、小枝部と大枝部との間の隙間を狭めつつ小枝部へ近づき（移動し）、大枝部は小枝部の先端側に当接する。つまり、小枝部３５の、凹状の形状の弓形に大枝部３６の、凸状の形状の弓形が当接させ、プラグストッパーの基部に形成されたストッパー部同士を離して開いた状態にし、コネクタのコネクタインサートをコネクタ収納体のコネクタ受けキャップの孔部に挿入し、プラグストッパーのストッパー部とコネクタ受け部の首部とを対向させ、押圧を解除することで、プラグストッパーが樹脂製であることによる弾力性により、プラグストッパーの突起部を中心に、プラグストッパーの、大枝部が小枝部の先端側から離れ、基部同士が回動することでストッパー部同士が接近し、ストッパー部がストッパー受け部に係止することでコネクタとコネクタ収納体とを一体としたコネクタ連結装置が実現される。また、この係止した状態から、プラグストッパーの大枝部に押圧を加え、同様に、プラグストッパーを回動させて、大枝部を小枝部に当接させ、プラグストッパーの基部に形成されたストッパー部同士を離して開いた状態にして、ストッパー受け部の頭部から離し、コネクタのコネクタインサートをコネクタ収納体のコネクタ受けキャップの孔部から離れる方向に移動しつつ、押圧を解除し、コネクタのコネクタインサートを前記コネクタ収納体のコネクタ受けキャップの孔部から抜き取りコネクタとコネクタ収納体とを分離したコネクタ連結装置が実現される。また、コネクタ収納体内には、充電可能なバッテリーを備えているため、コネクタ側のコネクタインサート、或いは筺体側のコネクタインサートをコンピューター等に接続することで充電を行える。
【００１０】
また、請求項２に記載の考案は、請求項１に記載の構成に加え、前記コネクタ収納体のコネクタ受けキャップでは、少なくとも、前記コネクタのコネクタインサートを挿入する前記孔部が二箇所形成されていることを特徴とする。
【００１１】
従って、請求項２に記載の考案によれば、コネクタ収納体側にはコネクタインサートを挿入する孔部が少なくとも二箇所形成されているので、一つのケーブルの両端側のコネクタのコネクタインサートを一つのコネクタ収納体に連結することができ、充電機能を備えたコネクタ収納体と両端側にコネクタを備えた一つのケーブルとをコンパクトにまとめられる。
【考案の効果】
【００１２】
本考案によれば、コネクタの側方方向に組み込まれたプラグストッパーが樹脂性であることよる弾力性を利用して、プラグストッパーに押圧を加え、押圧を解除することで、プラグストッパーの、基部を含めて断面略Ｌ字状の形状をなす、ストッパー部側が、首部、頭部、及び平板部を含めて断面コ字状の形状をなす、ストッパー受け部側に組み込み、プラグストッパーのストッパー部とコネクタ受けキャップのストッパー受け部とが連結されることで、コネクタとコネクタ収納体とが連結されコネクタ連結装置を一体となる。以上のように、コネクタインサートの側方方向にあるプラグストッパーに押圧を加え、押圧を解除するという簡単な操作により、容易にコネクタインサートをコネクタ収納体側に固定することができる。また、コネクタをコネクタ収納体と分離するためには、同様に、プラグストッパーに押圧を加えることで、プラグストッパーのストッパー部側をストッパー受け部側から外し、コネクタのコネクタインサートをコネクタ収納体から抜き取りながら押圧を解除するという簡単な操作により、容易にコネクタインサートとコネクタ収納体側とを分離することができる。
【００１３】
また、コネクタ連結装置として一体とすることでコネクタ収納体と両端側にコネクタを備えた一つのケーブルとをコンパクトにまとめられるので、持ち運びすることが容易になる。特に、昨今、外出の際に、移動通信機器（携帯電話機器等）は必須の持ち物となり、その移動通信機器とコンピューターとのデータの授受に欠くことができない両端側にコネクタを備えた一つのケーブルは忘れないが、充電器は忘れがちということがよくあった。これは、外出の際には移動通信機器（携帯電話機器等）が作動していれば、まもなく電源切れという状態になるにもかかわらず充電器が必要ということに気づかないことによるものであるが、本考案に示すように、コネクタ連結装置として一体となっていれば、外出の際の忘れを防止することができる。
【図面の簡単な説明】
【００１４】
【図１】本考案であるコネクタ連結装置をなす、ケーブルを備えたコネクタと、コネクタ収納体とが連結された状態を示す説明図である。
【図２】図１に示すコネクタのプラグ本体部を示す説明図である。（ａ）は、プラグ本体部を正面方向から示す説明図である。（ｂ）は、プラグ本体部に組み込まれたプラグインサート側から示す説明図である。
【図３】プラグ本体部に組み込まれるプラグストッパーを示す説明図である。（ａ）は、プラグストッパーの側方方向より示す説明図である。（ｂ）は、プラグストッパーの正面方向より示す説明図である。
【図４】プラグストッパーをプラグ本体部に組み込んだコネクタを示す説明図である。
【図５】コネクタと連結される、コネクタ収納体のコネクタ受けキャップを示す説明図である。（ａ）は、コネクタ受けキャップの正面方向から示す説明図である。（ｂ）は、（ａ）のＡ−Ａ線に沿う断面方向から示す説明図である。
【図６】コネクタ受けキャップが組み込まれた筺体の概要を示す説明図である。
【図７】コネクタのプラグストッパーに押圧を加えてストッパー部同士の開いた状態を示す説明図である。
【図８】コネクタとコネクタ収納体とによるコネクタ連結装置が完成する状態を示す説明図である。（ａ）は、コネクタのプラグストッパーとコネクタ受けキャップのストッパー受け部とが対向した状態を示す説明図である。（ｂ）は、コネクタのプラグストッパーとコネクタ受けキャップのストッパー受け部とが係止した状態を示す説明図である。
【図９】コネクタ収納体に二つのコネクタを連結したコネクタ連結装置を側方から示す説明図である。
【図１０】特許文献１における、収納体に設けた固定手段によりコネクタを収納体内に着脱可能に固定した状態を示す説明図である。
【考案を実施するための形態】
【００１５】
以下、本考案を実施するための形態について図面を参照して説明する。
【００１６】
本考案のコネクタ連結装置１は、図１に示すように、ケーブル５を備えたコネクタ１１とコネクタ収納体１２とで構成されており、コネクタ１１とコネクタ収納体１２とを連結することでコネクタ１１の保持が行われる。コネクタ１１の保持では、図１に示すように、プラグ本体部２から伸びたコネクタインサート２１１がコネクタ収納体１２に挿入され、その状態が維持されることになる。プラグ本体部２は、図１及び図２に示すように、略半円状の部材２４、２４を重ね合わせたような形状をなし、一方の端部２１側にコネクタインサート２１１が組み込まれており、他方の端部２２側にケーブル組込口２２１が形成され、ケーブル５が組み込まれている。つまり、プラグ本体部２は、基本的に略半円状の部材２４、２４を重ね合わせて挟み込まれ、コネクタインサート２１１が組み込まれ、ケーブル組込口２２１が形成される、プラグ本体部２の中心部２５が、プラグ本体部２の、一方の端部２１から他方の端部２２に沿う方向に伸びており、プラグ本体部２の中心部２５を略半円状の部材２４、２４が挟み込んでいる。本例においては、略半円状の部材２４とプラグ本体部２の中心部２５とは同じ部材であり、樹脂製の部材で一体的に成型加工されているが、略半円状の部材２４とプラグ本体部２の中心部２５とを異なる材質とし、それぞれ別に形成した後に、略半円状の部材２４、２４を重ね合わせてプラグ本体部２の中心部２５を挟み込んで形成することも可能である。
【００１７】
以上のように、プラグ本体部２では、プラグ本体部２の中心部２５が、プラグ本体部２の、一方の端部２１から他方の端部２２に沿う方向（の中心軸方向）に伸び、プラグ本体部２の両側方方向（プラグ本体部２の、一方の端部２１から他方の端部２２に沿う方向を横断する方向）では略半円状の部材２４と重なり合うほど伸びておらず、略半円状の部材２４、２４同士が対向している（図２参照）。つまり、プラグ本体部２の両側方方向（プラグ本体部２の一方の端部２１から他方の端部２２に沿う方向を横断する方向側）には、図２（ｂ）に示すように、凹部２３、２３が形成されている。つまり、プラグ本体部２の中心部２５の側方方向に略半円状の部材２４、２４が張り出すことで凹部２３、２３が形成されている。そして、凹部２３、２３は、図２（ａ）に示すように、対向して、プラグ本体部２の、一方の端部２１から他方の端部２２に沿う方向に伸びて形成されている。凹部２３、２３は、プラグ本体部２の他方の端部２２側では、ケーブル組込口２２１に入り込んで形成されており、ケーブル組込口２２１の側面２２１ａ、２２１ａに及んでいる（側面２２１ａ、２２１ａに凹部２３、２３が形成されている）。
【００１８】
また、凹部２３は、図２（ｂ）に示すように、プラグ本体部２の中央部２５からプラグ本体部２の外方に開いた、断面略コ字状の形状をなしている。そして、プラグ本体部２の両側方方向の凹部２３、２３側には、図２に示すように、孔部２６、２６が形成されている。孔部２６、２６同士は、図２（ａ）に示すように、プラグ本体部２の、一方の端部２１から他方の端部２２に沿う方向に対して垂直に横断する方向で対向する位置に形成されている。つまり、孔部２６、２６は、プラグ本体部２の、一方の端部２１側から他方の端部２２側へ沿う中心軸に対して対称に、凹部２３、２３において形成されている。本例では、孔部２６は、図２（ｂ）に示すように、凹部２３の奧壁２３１に沿って、プラグ本体部２を貫通して形成されているが、必ずしも、凹部２３の奧壁２３１に沿う必要はなく、凹部２３の奧壁２３１からプラグ本体部２の外側に移動した位置に孔部２６を形成することも可能である。
【００１９】
そして、凹部２３、２３側には、樹脂製のプラグストッパー３が組み込まれることになる。プラグストッパー３は、図３に示すように、プラグ本体部２の凹部２３の奧壁２３１に沿う形状をなし、一方の端部３ａ側が二股に分かれた形状をなし、他方の端部３ｂ側が一本の枝部の形状をなしている（図３（ａ）参照）。そして、プラグストッパー３には、プラグ本体部２の凹部２３の孔部２６に組み込まれる突起部３３が形成されている。突起部３３は、プラグストッパー３の長手方向に対して垂直に交差する方向にプラグストッパー３の両側面３１に対向する位置でそれぞれ側面３１から突出して円柱形の形状で形成されている。本例では、突起部３３は、プラグストッパー３の正面３２側で、プラグストッパー３の長手方向の中心位置より他方の端部３ｂ寄りに形成されている。突起部３３から一方の端部３ａ寄りでプラグストッパー３の長手方向の略中央から一方の端部３ａ側に向かって二股に分かれた枝部が伸びて形成されている。図３（ａ）に示すように、プラグストッパー３の正面３２側には小枝部３５が形成されており、背面３４側には大枝部３６が形成されている。プラグストッパー３の長手方向の略中央の小枝部３５と大枝部３６との分かれる位置では、図３（ａ）に示すように、円弧部３ｃが形成されて、円弧部３ｃの略径の距離である隙間３ｄ離れて、円弧部３ｃに沿って小枝部３５と大枝部３６とが形成されている。
【００２０】
円弧部３がプラグストッパー３の正面３２側より形成されているため、二股に分かれた枝部３５、３６は小さい枝部（小枝部３５）と大きい枝部（大枝部３６）とが形成されることになる。つまり、プラグストッパー３の側面３１方向の大きさが、図３（ａ）に示すように、小枝部３５の大きさ（厚み）３ｅと大枝部３６の大きさ（厚み）３ｆとに分けられることになる。そして、小枝部３５は、円弧部３ｃよりプラグストッパー３の正面３２側が凸状の形状をなして弓形に形成されて一方の端部３ａに向かって伸びている。従って、小枝部３５の、大枝部３６側は凹状の形状をなして一方の端部３ａに向かって伸びている。小枝部３５と隙間３ｄ離れた大枝部３６は、略樽状の形状をなして一方の端部３ａに向かって伸びている。つまり、大枝部３６は、大枝部３６の長手方向の略中央が、大枝部の大きさ（厚さ）３ｆが最も大きく、大枝部３６の、円弧部３ｃ側と一方の端部３ａ側との、大枝部の大きさ（厚さ）３ｆが小さく形成されている。そして、大枝部３６においては、円弧部３ｃ側から一方の端部３ａ側に向かって、弓形に形成されている。図３（ａ）に示すように、大枝部３６の、小枝部３５側と背面３４側とが凸状の形状をなして弓形に形成されて一方の端部３ａに向かって伸びている。本例においては、大枝部３６の、小枝部３５側と背面３４側との弓形の凸状の形状は対称に形成されているが、必ずしも対称に形成される必要はない。特に、大枝部３６の背面３４側は、弓形の凸状の形状（曲面）に形成されることなく、真っ直ぐな平面に形成されることも可能である。
【００２１】
以上のように、小枝部３５の、大枝部３６側が凹状の形状の弓形をなし、大枝部３６の、小枝部３５側が凸状の形状の弓形をなすことで、大枝部３６が小枝部３５側へ移動した際に、小枝部３５の、大枝部３６側が凹状の形状の弓形に大枝部３６の、小枝部３５側が凸状の形状の弓形が当接可能になっている。また、本例においては、図３（ａ）に示すように、大枝部３６より小枝部３５の方が短く形成されている。小枝部３５側は、プラグ本体部２側に直接組み込まれるため、組込易さ、さらにはプラグ本体部２内での安定した状態を実現することを可能にするため小さく形成されている。小枝部３５、大枝部３６の分かれ目である円弧部３ｃから突起部３３を経て他方の端部３ｂに向かって基部３７が形成されている。図３（ａ）に示すプラグストッパー３の側方方向からでは、基部３７は、プラグストッパー３の長手方向を横断する方向の略中心にあり、プラグストッパー３の他方の端部３ｂに向かって真っ直ぐに伸びて形成されている。基部３７は、小枝部３５、大枝部３６とは異なり、弓形等の曲線（曲面）ではなく、真っ直ぐな直線状の平面をなしている（図３（ａ）参照）。また、本例では、基部３７の大きさ３ｇは、大枝部３６の大きさ３ｆと略等しいが、必ずしも略等しい必要はないが、コネクタ収納体１２側のストッパー受け部４３と係合してコネクタ１１を保持できるだけの大きさ（厚さ）は必要になる。そして、基部３７の端部であるプラグストッパー３の他方の端部３ｂ側には、ストッパー部３８が形成されている。ストッパー部３８は、プラグストッパー３の長手方向を垂直に横断する方向で、プラグストッパー３の正面３２側に伸びて形成されている。つまり、ストッパー部３８側は、基部３７を含めて断面略Ｌ字状の形状をなしている。
【００２２】
以上の構成のプラグストッパー３をプラグ本体部２に組み込むことになる。プラグストッパー３のプラグ本体部２への組み込みに際しては、プラグ本体部２のケーブル組込口２２１側に二股である小枝部３５と大枝部３６とを向けて、プラグ本体部２の凹部２３、２３内に入れる。プラグストッパー３のプラグ本体部２の凹部２３、２３内への進行では、プラグストッパー３の突起部３３、３３をプラグ本体部２の凹部２３の孔部２６に組み入れるため、プラグ本体部２の凹部２３をなす、対向した略半円状の部材２４、２４同士を離れる方向に開く。そして、プラグストッパー３の突起部３３、３３をプラグ本体部２の凹部２３、２３に入れ、プラグ本体部２の凹部２３の孔部２６に組み込むことになる。そして、プラグストッパー３の小枝部３５をプラグ本体部２の凹部２３、２３のケーブル組込口２２１側に向けてプラグストッパー３をプラグ本体部２の凹部２３、２３内に入れることになる。以上のようにして、プラグストッパー３がプラグ本体部２に組み込まれると、小枝部３５が、プラグ本体部２の凹部２３、２３の奧壁２３１、２３１に当接し、プラグ本体部２の凹部２３、２３の奧壁２３１、２３１に対して反って、凹状の形状の弓形の形状をなし、大枝部３６が円弧部３ｃによる隙間を経て、小枝部３５の、凹状の形状の弓形の形状と当接可能な、凸状の形状の弓形の形状をなした状態になっている。また、前記円弧部から前記突起部を経て他方の端部に向かって形成された基部３７は、プラグ本体部２のコネクタインサート２１１側に沿って伸びてストッパー部がコネクタインサート２１１側に向いた状態になっている。そして、図４に示すように、プラグストッパー３のストッパー部３８がプラグ本体部２の一方の端部２１側になり、プラグストッパー３の大枝部３６がプラグ本体部２の他方の端部２２側のケーブル組込口２２１の側面２２１ａと対向することになる。そして、プラグストッパー３をプラグ本体部２に組み込んだ状態では、図１に示すように、プラグストッパー３の大枝部３６とプラグ本体部２のケーブル組込口２２１の側面２２１ａとの間に隙間Ｓが形成されている。以上がプラグストッパー３を組み込んだプラグ本体部２を備えたコネクタ１１の構成である。
【００２３】
以上の構成のコネクタ１１は、コネクタ収納体１２に挿入され、コネクタ１１のプラグ本体部２から伸びたコネクタインサート２１１がコネクタ収納体１２内に収められた状態で保持されることになる。コネクタ収納体１２側の、コネクタ１１のプラグ本体部２から伸びたコネクタインサート２１１が挿入されるコネクタ受けキャップ４は樹脂製であり、図５に示すように、基本的には、四角形の平板状の部材である平板部４５を中心に形成されている。平板部４５の、中央側に二つの、コネクタ受けキャップ４を貫通する孔部４１、４２が形成されている。この孔部４１、４２にコネクタインサート２１１が挿入されることになる。本例では、大きい孔部４２と小さい孔部４１とが形成された例を示しているが，必ずしも大小の孔部が形成される必要はない。孔部４１、４２は、図５（ａ）に示すように、孔部４１、４２の長手方向同士を平行にして形成されている。本例では、二つの孔部４１、４２が形成されているが、二つに限定されることなく三つ以上形成することも可能である。従って、コネクタ受けキャップ４には少なくとも二つの孔部４１、４２が形成されていればよい。そして、孔部４１、４２の長手方向に対して横断する方向側から孔部４１、４２を挟み込んでストッパー受け部４３、４３が形成されている。ストッパー受け部４３、４３同士は、孔部４１、４２を挟み込んで、孔部４１、４２の長手方向を横断する方向にコネクタ受けキャップ４を横切って、対向して形成されている。
【００２４】
ストッパー受け部４３、４３は、図５（ｂ）に示すように、首部４３１と頭部４３２とからなり、首部４３１は平板部４５に対して垂直に伸びて形成されている。首部４３１は、板状の形状をなし、ストッパー受け部４３、４３と同様に、孔部４１、４２を挟み込んで、孔部４１、４２の長手方向を横断する方向にコネクタ受けキャップ４を横切って、対向して形成されている。頭部４３２は、首部４３１と連続し、コネクタ受けキャップ４の外方に向かって首部４３１に対して垂直に伸びている。つまり、頭部４３２は、孔部４１、４２側とは反対方向に伸びて形成されている。そして、ストッパー受け部４３側は、首部４３１と頭部４３２とで、図５（ｂ）に示すように、平板部４５を含めて断面コ字状の形状として形成されている。
【００２５】
コネクタ受けキャップ４では、図５（ｂ）に示すように、コネクタ収納体１２の筺体６に組み込まれる側（ストッパー受け部４３が形成された側とは反対側）には、枠部４４が形成されており、コネクタ受けキャップ４の、基本的に四角形の形状の回りに枠部４４が平板部４５側から伸びて形成されている。枠部４４は、図５（ｂ）に示すように、平板部４５に対して垂直に伸びて形成されており、中空の四角柱状の形状をなしている。また、平板部４５の外周４５１と枠部４４の外周４４２とでは、平板部４５の外周４５１の方が大きく、平板部４５と枠部４４との間には段差４５２がある。枠部４４には、図５（ａ）に示すように、孔部４１と対向する位置で、枠部４４の、平板部４５と反対側の端部４４１側に突出部４６が形成されている（図５（ｂ）参照）。突出部４６は、枠部４４の長手方向を横断する方向でコネクタ受けキャップ４の外方に向かって突出しており、平板部４５に対して垂直に伸びている。そして、突出部４６から枠部４４の端部４４１に向かって傾斜面４６１が形成されている。
【００２６】
以上の構成のコネクタ受けキャップ４は、図６に示すように、コネクタ収納体１２の筺体６の一方の端部側に組み込まれることになる。本例では、筺体６は、コネクタ受けキャップ４が組み込まれる中空の四角柱状の形状をなしているが、コネクタ受けキャップ４が組み込み可能であれば四角柱状の形状に限定されない。コネクタ受けキャップ４が筺体６の一方の端部６３側に組み込まれると、図６に示すように、コネクタ受けキャップ４の、平板部４５と枠部４４とでなす段差４５２が筺体６の一方の端部６１側に当接した状態になる。そして、コネクタ受けキャップ４の枠部４４は、図６に示すように、コネクタ受けキャップ４の中心軸に傾斜した状態で筺体６内に収納されることになる。そして、枠部４４の突出部４６が筺体６の内周面６２側に当接した状態になり、コネクタ受けキャップ４の筺体６への組み込みの安定性の確保に寄与することになる。本例での筺体６では、詳細に図示していないが、回路基板８１が組み込まれており、回路基板８１では、コネクタ受けキャップ４の孔部４１、４２に挿入されるコネクタインサート２１１、２１２と導通をとることが可能になっており、回路基板８１の一方の面側（回路基板面側）に充電可能なバッテリー８が搭載されている。回路基板８１の、コネクタ受けキャップ４が組み込まれる側とは反対側には、筺体６から突出するコネクタインサート７１が取り付けられている。コネクタインサート７１が突出した筺体６の他方の端部６３側には、キャップ７が取り付けられており、コネクタ受けキャップ４と同様に、筺体６の他方の端部６３側に組み込まれている。つまり、キャップ７もコネクタ受けキャップ４と同様に枠部７２が形成され、枠部７２には突出部７３も形成されている。そのため、キャップ７の枠部７２の突出部７３が筺体６の他方の端部６３側の内周面６２側に当接した状態になり、キャップ７の筺体６への組み込みの安定性の確保に寄与するとともに、コネクタインサート７１の支持を可能にしている。そして、キャップ７側のコネクタ７１では、コネクタ７１をケーブル等を介して、外部の電源、例えば、ＰＣ（パソコン）等に接続することでバッテリー８が充電できるように回路基板８１で制御を行うことになる。
【００２７】
つぎに、以上の構成をなすコネクタ連結装置１である、コネクタ１１とコネクタ収納体１２とが連結される動作について説明する。コネクタ収納体１２のコネクタ受けキャップ４には二箇所の孔部４１、４２が形成されているが、孔部４１、４２にコネクタ１１のコネクタインサートが挿入される状態は、孔部４１、４２のいずれでも同じであるため、本例では、コネクタインサート２１１が孔部４１に挿入される例について説明する。
【００２８】
図７に示すように、コネクタ１１のプラグストッパー３、３に矢印Ｘ方向より押圧を加え、ストッパー部３８、３８同士を離れさせる。具体的には、プラグストッパー３、３の大枝部３６、３６にプラグ本体部２に向かって矢印Ｘ方向に沿って押圧を加える。押圧が加えられることで、プラグストッパー３、３が樹脂製であることによる弾力性により、プラグストッパー３、３は、突起部３３、３３を中心（支点）にして回動する。プラグストッパー３、３の大枝部３６、３６は、隙間３ｄを狭めつつ小枝部３５、３５へ近づき（移動し）、大枝部３６、３６は小枝部３５、３５の先端側に当接する。具体的には、プラグストッパー３、３の、大枝部３６が小枝部３５側へ移動した際に、大枝部３６の、小枝部３５側の凸状の形状の弓形が小枝部３５の、大枝部３６側の凹状の形状の弓形に当接し、小枝部３５、３５の先端側の隙間３ｄはなくなるが、円弧部３ｃ側には隙間３ｄが若干残る。それと共にプラグ本体部２側の、ケーブル組込口２２１の側面２２１ａ、２２１ａに当接する。また、基部３７は、プラグ本体部２の一方の端部２１側から離れ、凹部２３、２３内で奧壁２３１と基部３７と間で、奧壁２３１に当接している小枝部３５、３５から基部３７、３７が奧壁に対して角度αで傾斜する。その結果、ストッパー部３８、３８が凹部２３、２３の奧壁２３１、２３１側から離れ、ストッパー部３８、３８同士が離れて開いた状態になる。
【００２９】
図７に示すストッパー部３８、３８の開いた状態でコネクタ収納体１２のコネクタ受けキャップ４へ移動し、コネクタ１１のコネクタインサート２１１をコネクタ受けキャップ４の孔部４１へ差し込む。そして、コネクタ１１のコネクタインサート２１１をコネクタ受けキャップ４の孔部４１に沿って移動させるか、或いは、コネクタ受けキャップ４の孔部４１をコネクタ１１のコネクタインサート２１１に沿って移動させるかして、プラグ本体部２側とコネクタ受けキャップ４側とを当接、或いは接近させる。つまり、コネクタ受けキャップ４の孔部４１にコネクタ１１のコネクタインサート２１１を挿入した後、コネクタ１１とコネクタ収納体１２とを連結できる状態にする。また、移動している間、コネクタ１１側のストッパー部３８、３８同士は離れて開いた状態が維持されている（プラグストッパー３、３の大枝部３６、３６に矢印Ｘ方向からの押圧が加えられた状態が維持されている）。そして、プラグ本体部２側とコネクタ受けキャップ４側との当接、或いは接近に際し、コネクタ１１側のプラグストッパー３、３とコネクタ収納体１２側のコネクタ受けキャップ４、４と対向させ（プラグストッパー３、３のストッパー部３８、３８とコネクタ受けキャップ４、４の首部４３１、４３１とを対向させ）、対向させた状態でプラグストッパー３、３の大枝部３６、３６に矢印Ｘ方向から加えられた押圧を解除する。
【００３０】
押圧を解除することで、図８（ａ）に示すように、プラグストッパー３、３が樹脂製であることによる弾力性により大枝部３６、３６が小枝部３５、３５の先端側から離れるとともに、ケーブル組込口２２１の側面２２１ａ、２２１ａから離れる。それと同時に、プラグストッパー３、３の基部３７、３７がコネクタ収納体１２のコネクタ受けキャップ４、４のストッパー受け部４３、４３に向かう。具体的には、押圧の解除により、プラグストッパー３、３の突起部３３、３３を中心に基部３７、３７が回動し、基部３７、３７の端部であるストッパー部３８、３８がコネクタ受けキャップ４の平板部４５に沿って対向するストッパー部３８、３８同士が移動して接近し、ストッパー受け部４３の首部４３１に向かう。ストッパー部３８、３８同士の移動により、ストッパー部３８、３８がストッパー受け部４３の頭部４３２の下にくる。その結果、図８（ｂ）に示すように、プラグストッパー３、３のストッパー部３８、３８がコネクタ受けキャップ４、４のストッパー受け部４３、４３に係止した状態となる。つまり、断面略Ｌ字状の形状をなす、基部３７を含めたストッパー部３８側が断面コ字状の形状をなす、首部４３１、頭部４３２、及び平板部４５を含めたストッパー受け部４３側に組み込まれて、プラグストッパー３、３のストッパー部３８、３８とコネクタ受けキャップ４、４のストッパー受け部４３、４３とが連結されコネクタ１１とコネクタ収納体１２とが連結されコネクタ連結装置１が一体となる（図１参照）。
【００３１】
また、一体となったコネクタ連結装置１のコネクタ１１とコネクタ収納体１２との連結を解除するためには、図８（ｂ）に示す矢印Ｘ方向（点線）から再度押圧を加える。押圧が加えられることで、プラグストッパー３、３の、大枝部３６が小枝部３５側へ移動し、大枝部３６の、小枝部３５側の凸状の形状の弓形が小枝部３５の、大枝部３６側の凹状の形状の弓形に当接し、小枝部３５、３５の先端側の隙間３ｄはなくなり、それと共にプラグ本体部２側の、ケーブル組込口２２１の側面２２１ａ、２２１ａに当接する。それと共に、プラグストッパー３、３の、基部３７、３７側のストッパー部３８，３８がストッパー受け部４３、４３側から離れ、図８（ａ）に示すように、ストッパー受け部４３、４３の頭部４３２からも離れる。この状態でコネクタ１１のコネクタインサート２１１をコネクタ受けキャップ４の孔部４１から離す方向に移動しつつ、プラグストッパー３、３に加えられた押圧を解除する。そして、コネクタ１１のコネクタインサート２１１をコネクタ受けキャップ４の孔部４１から抜き取ることでコネクタ１１とコネクタ収納体１２との連結が解除されコネクタ連結装置１が分離される。
【００３２】
以上がコネクタ収納体１２のコネクタ受けキャップ４の孔部４１とコネクタ１１のコネクタインサート２１１との連結によりコネクタ連結装置１が一体となったり、分離されたりする例である。このコネクタ１１に組み込んであるケーブル５の一方の端部とは反対の他方の端部も別のコネクタ１１に組み込んであり、別のコネクタ１１ではコネクタインサート２１２を備えている。別のコネクタ１１のコネクタインサート２１２は、例えば、図示しないコンピューター等と接続することでコネクタ収納体１２に充電すること等が可能になる。また、この別のコネクタ１１のコネクタインサート２１２を充電等に使用しない場合には、この別のコネクタ１１のコネクタインサート２１２をコネクタ収納体１２のコネクタ受けキャップ４の孔部４２に連結することができ、連結した状態が図９に示してある。図９では、一つのケーブル５の両端側を組み込んだコネクタ１１、１１のコネクタインサート２１１、２１２をコネクタ収納体１２のコネクタ受けキャップ４の孔部４１、４２に連結した状態が示されている。このように、一つのコネクタ収納体１２に二つコネクタ１１を連結することでコネクタ連結装置１を一体とすることもできる。
【００３３】
一つのコネクタ収納体１２に二つコネクタ１１を連結することでコネクタ連結装置１を一体とすることで、コネクタ１１、１１同士を結ぶケーブル５がループ状の形状をなす。その結果、充電の機能を備えたコネクタ収納体１２とケーブル５を備えたコネクタ１１を一つにまとめられる。
【符号の説明】
【００３４】
１…コネクタ連結装置、１１…コネクタ、１２…コネクタ収納体
２…プラグ本体部、２１…一方の端部、２１１、２１２…コネクタインサート、２２…他方の端部、２２１…ケーブル組込口、２２１ａ…側面
２３…凹部、２３１…奧壁、２４…略半円状の部材、２５…中心部、２６…孔部
３…プラグストッパー、３ａ…一方の端部、３ｂ…他方の端部、３ｃ…円弧部、３ｄ…隙間、３ｅ…小枝部の大きさ（厚さ）、３ｆ…大枝部の大きさ（厚さ）、３ｇ…基部の大きさ（厚さ）、３１…側面、３２…正面、３３…突起部、３４…背面、３５…小枝部、３６…大枝部、３７…基部、３８…ストッパー部
４…コネクタ受けキャップ、４１、４２…孔部、４３…ストッパー受け部、４３１…首部、４３２…頭部、４４…枠部、４４１…端部、４４２…外周、４５…平板部、４５１…外周、４５２…段差、４６…突出部、４６１…傾斜面、
５…ケーブル、
６…筺体、６１、６３…端部、６２…内周面、
７…キャップ、７１…コネクタインサート、７２…枠部、７３…突出部
８…バッテリー、８１…回路基板
Ｓ…隙間、
【図１】
0003179650.tif 000003
【図２】
0003179650.tif 000004
【図３】
0003179650.tif 000005
【図４】
0003179650.tif 000006
【図５】
0003179650.tif 000007
【図６】
0003179650.tif 000008
【図７】
0003179650.tif 000009
【図８】
0003179650.tif 000010
【図９】
0003179650.tif 000011
【図１０】
0003179650.tif 000012